(57)【要約】【課題】カメラの調整装置に於いて、撮像素子の結像面上の位置とフォーカシングスクリーンの合焦面との位置を、容易に、且つ高精度に合わせることである。【解決手段】基準レンズ１３を有したユニット保持治具１２にミラーユニット２０を装着し、該ミラーユニット２０のフォーカシングスクリーンに結像した被写体像をビデオスコープ３０で撮像する。クイックリターンミラー２２が第１の位置にあるときにビデオスコープ３０によって上記フォーカシングスクリーン２６上のチャート１１の画像を撮像し、上記クイックリターンミラー２２が第２の位置にあるときにＣＣＤ３７によって上記チャート１１の画像を撮像する。上記第１及び第２の撮像動作で取得したそれぞれの画像でもって、上記チャート１１に対する上記ＣＣＤ３７の相対的な位置ずれ及び上記チャート１１に対するフォーカシングスクリーン２６の相対的な位置ずれを検出する。【選択図】      図１
2005142837.tif 000002
【特許請求の範囲】
【請求項１】
フォーカスシングスクリーンと、可動ミラーと、撮影用撮像素子とを内蔵する一眼レフカメラ本体ユニットを調整するためのカメラの調整装置に於いて、
上記一眼レフカメラ本体ユニットが装着される基準レンズと、
上記フォーカシングスクリーンに結像した被写体像を撮像する測定用撮像素子と、
上記基準レンズの前方に配置された測定用チャートと、
上記可動ミラーを制御して、上記基準レンズを通過した被写体光束を上記フォーカシングスクリーンに導く第１の位置、若しくは上記撮影用撮像素子の撮影光路から退避した第２の位置に設定する可動ミラー制御手段と、
上記可動ミラーが上記第１の位置にあるときに上記測定用撮像素子によって上記フォーカシングスクリーン上の上記測定用チャートの画像を撮像する第１の撮像動作と、上記可動ミラーが上記第２の位置にあるときに上記撮影用撮像素子によって上記測定用チャートの画像を撮像する第２の撮像動作とを実行する撮像動作制御手段と、
上記第１及び第２の撮像動作で取得したそれぞれの画像でもって、上記測定用チャートに対する上記撮影用撮像素子の相対的な位置ずれ及び上記測定用チャートに対する上記フォーカシングスクリーンの相対的な位置ずれを検出する検出手段と、
を具備することを特徴とするカメラの調整装置。
【請求項２】
上記検出手段によって検出された何れかの位置ずれが許容範囲外にある時に警告表示を行う警告手段を更に具備することを特徴とする請求項１に記載のカメラの調整装置。
【請求項３】
上記検出手段の出力に基づいて上記撮影用撮像素子で撮像した画像の有効領域を決定する領域決定手段を更に具備することを特徴とする請求項１に記載のカメラの調整装置。
【請求項４】
上記検出手段は、上記測定用撮像素子及び撮影用撮像素子の少なくとも一方の撮像領域内に於ける上記測定用チャート画像の位置を判定して、両者の相対的な位置関係を検出することを特徴とする請求項１に記載のカメラの調整装置。
【請求項５】
上記検出手段は、上記測定用チャート画像の中心位置若しくは周辺位置を判定して、両者の相対的な位置関係を検出することを特徴とする請求項４に記載のカメラの調整装置。
【請求項６】
上記決定手段で決定された有効領域を表す情報を上記カメラ本体ユニット内に設けられた記憶素子に記憶させる記憶制御手段を更に具備することを特徴とする請求項３に記載のカメラの調整装置。
【発明の詳細な説明】
【技術分野】
【０００１】
この発明は、デジタル一眼レフカメラに於けるフォーカシングスクリーンの位置調整装置に関し、より詳細には、デジタル一眼レフカメラに於ける撮像素子の結像面上の位置とフォーカシングスクリーンの合焦面との位置を調整する装置に関するものである。
【背景技術】
【０００２】
フィルムを使用した一眼レフタイプのカメラに於いては、カメラ本体のアパーチャによって、フィルム上の露光領域が決定されている。そして、この露光領域とファインダの視野が一致するように、ファインダは設計されている。また、露光領域と者を一致させるための特別な調整は、こうしたフィルムを使用したカメラではあまり実施されていないものであった。これは、カメラの構造上、組み立て精度のみで露光領域と視野のずれ許容範囲内となるからである。
【０００３】
一方、デジタルカメラに於いては、ファインダ光学系に設けられて撮影範囲を設定する視野マスクを該ファインダ光学系の光軸と垂直な面上でその位置が調整可能に構成し、撮影光学系に対してＣＣＤの位置ずれが生じても、視野マスクを位置調整してＣＣＤの撮像範囲と視野マスクの設定撮影範囲を一致させる技術が知られている（例えば、特許文献１参照）。
【特許文献１】特開平１１−１５０４６号公報
【発明の開示】
【発明が解決しようとする課題】
【０００４】
ところで、デジタル一眼レフカメラに於いては、撮像を行う撮像素子（ＣＣＤ）が回路基板に固定され、この回路基板がカメラ本体に取り付けられるように構成されている。したがって、カメラ本体で直接フィルム位置を規定することができるフィルムカメラに対して、デジタルカメラでは、組み立て精度のみで撮像領域とファインダ視野とのずれを抑えることは困難なものであった。
【０００５】
加えて、デジタルカメラのＣＣＤのサイズは、一般にフィルムよりも小さいため、ＣＣＤの位置とファインダの位置を、より高い精度で合わせる必要があった。
【０００６】
この発明は上記実情に鑑みてなされたものであり、撮像素子の結像面上の位置とフォーカシングスクリーンの合焦面との位置を、容易に、且つ高精度に合わせることができるカメラの調整装置を提供することを目的とする。
【課題を解決するための手段】
【０００７】
すなわち請求項１に記載の発明は、フォーカスシングスクリーンと、可動ミラーと、撮影用撮像素子とを内蔵する一眼レフカメラ本体ユニットを調整するためのカメラの調整装置に於いて、上記一眼レフカメラ本体ユニットが装着される基準レンズと、上記フォーカシングスクリーンに結像した被写体像を撮像する測定用撮像素子と、上記基準レンズの前方に配置された測定用チャートと、上記可動ミラーを制御して、上記基準レンズを通過した被写体光束を上記フォーカシングスクリーンに導く第１の位置、若しくは上記撮影用撮像素子の撮影光路から退避した第２の位置に設定する可動ミラー制御手段と、上記可動ミラーが上記第１の位置にあるときに上記測定用撮像素子によって上記フォーカシングスクリーン上の上記測定用チャートの画像を撮像する第１の撮像動作と、上記可動ミラーが上記第２の位置にあるときに上記撮影用撮像素子によって上記測定用チャートの画像を撮像する第２の撮像動作とを実行する撮像動作制御手段と、上記第１及び第２の撮像動作で取得したそれぞれの画像でもって、上記測定用チャートに対する上記撮影用撮像素子の相対的な位置ずれ及び上記測定用チャートに対する上記フォーカシングスクリーンの相対的な位置ずれを検出する検出手段と、を具備することを特徴とする。
【０００８】
請求項２に記載の発明は、請求項１に記載の発明に於いて、上記検出手段によって検出された何れかの位置ずれが許容範囲外にある時に警告表示を行う警告手段を更に具備することを特徴とする。
【０００９】
請求項３に記載の発明は、請求項１に記載の発明に於いて、上記検出手段の出力に基づいて上記撮影用撮像素子で撮像した画像の有効領域を決定する領域決定手段を更に具備することを特徴とする。
【００１０】
請求項４に記載の発明は、請求項１に記載の発明に於いて、上記検出手段は、上記測定用撮像素子及び撮影用撮像素子の少なくとも一方の撮像領域内に於ける上記測定用チャート画像の位置を判定して、両者の相対的な位置関係を検出することを特徴とする。
【００１１】
請求項５に記載の発明は、請求項４に記載の発明に於いて、上記検出手段は、上記測定用チャート画像の中心位置若しくは周辺位置を判定して、両者の相対的な位置関係を検出することを特徴とする。
【００１２】
請求項６に記載の発明は、請求項３に記載の発明に於いて、上記決定手段で決定された有効領域を表す情報を上記カメラ本体ユニット内に設けられた記憶素子に記憶させる記憶制御手段を更に具備することを特徴とする。
【発明の効果】
【００１３】
この発明によれば、撮像素子の結像面上の位置とフォーカシングスクリーンの合焦面との位置を、容易に、且つ高精度に合わせることができるカメラの調整装置を提供することができる。
【発明を実施するための最良の形態】
【００１４】
以下、図面を参照してこの発明の実施形態を説明する。
【００１５】
図１（ａ）は、この発明の一実施形態に係るカメラの調整装置の構成を示した図である。
【００１６】
図１（ａ）に於いて、ベンチ１０上には、測定用チャートである調整用のチャート１１と、後述するミラーユニット２０を調整するためのユニット保持治具１２とが、所定距離をおいて配置されている。
【００１７】
このユニット保持治具１２には、上記チャート１１からの光をミラーユニット２０に導くための基準レンズ１３と、該ミラーユニット２０を取り付けるためのレンズマウント１４とが設けられている。
【００１８】
上記ミラーユニット２０のレンズマウント１４には、ボディマウント２１によってミラーユニット２０が取り付けられる。このミラーユニット２０は、一眼レフタイプのデジタルカメラのボディユニットに取り付けられるもので、上記ユニット保持治具１２に取り付けられた状態で、後述するようにフォーカシングスクリーンの位置が調整される。
【００１９】
ミラーユニット２０は、ユニット保持治具１２内の基準レンズ１３から入射される光を反射する可動ミラーとして、回動可能なクイックリターンミラー２２を有している。このクイックリターンミラー２２で反射された光は、スクリーンユニット２５に設けられたフォーカシングスクリーン２６を介して、ミラーユニット２０の上方に位置される測定用撮像素子を有するビデオスコープ３０に至る。
【００２０】
上記クイックリターンミラー２２の中央部はハーフミラーになっており、該クイックリターンミラー２２がダウン（図示の位置）した際に一部の光束が透過する。そして、この透過した光束は、クイックリターンミラー２２に設置されたサブミラー３２で反射され、ＡＦセンサ３３に導かれる。尚、上記クイックリターンミラー２２のアップ時には、サブミラー３２は折り畳まれるようになっている。
【００２１】
上記クイックリターンミラー２２のアップ時（図示せず）は、ユニット保持治具１２内の基準レンズ１３を介して入射される光は、シャッタ３５を介してＣＣＤ基板３６に取り付けられた撮影用撮像素子であるＣＣＤ３７に到達する。このＣＣＤ３７で得られた信号は、カメラインターフェイス回路４０内のＣＣＤインターフェイス回路４１を介して、撮像動作制御手段としてのパーソナルコンピュータ（ＰＣ）４５に出力される。
【００２２】
カメラインターフェイス回路４０は、該パーソナルコンピュータ４５とミラーユニット２０の間に設けられるもので、ミラーユニット２０の調整を行うための種々の回路で構成されている。例えば、カメラインターフェイス回路４０は、上述したＣＣＤインターフェイス回路４１の他、シャッタ３５のタイミングを制御するシャッタ制御回路４２と、クイックリターンミラー２２の動作を制御する可動ミラー制御手段としてのミラーアップ／ダウン（ＵＰ／Ｄｏｗｎ）制御回路４３と、後述するカメラボディ内の不揮発性メモリの読出し、書き込みを行うための不揮発性メモリ通信回路４４とを有して構成されている。
【００２３】
また、パーソナルコンピュータ４５には、ビデオスコープ３０で得られた画像をパーソナルコンピュータ４５上に表示するためのビデオ信号変換回路５０が接続されている。
【００２４】
図１（ｂ）は、上述した調整用のチャート１１の例を示した図である。例えば、このチャート１１には、撮影領域の中心を表す十字状の基準線１１ａ、１１ｂと該撮影領域の範囲を表す枠状の基準線１１ｃ〜１１ｆが記されている。
【００２５】
図２は、上述したミラーユニット２０が装着されたボディユニット８５と交換レンズユニット６０から成る電子カメラの構成を示すブロック図である。
【００２６】
交換レンズユニット６０には、ボディユニット８５に設けられたボディマウント２１に、該交換レンズユニット６０を装着するためのレンズマウント６１が設けられている。そして、図示されない被写体からの光束が、撮影レンズ６２、光量調節用の絞り６３を介して、ミラーユニット２０内のＣＣＤ３７に導かれるように構成されている。
【００２７】
レンズＣＰＵ（ＬｎｓＣＰＵ）６４は、交換レンズユニット６０内の各部の動作制御を司るものであり、その内部には記録手段であるフラッシュ（Ｆｌｕｓｈ）ＲＯＭ６５が配置されている。このフラッシュＲＯＭ６５には、レンズＣＰＵ６４のプログラムコード、焦点位置のずれ量等の制御パラメータが記録されている。
【００２８】
更に、交換レンズユニット６０は、レンズモータ駆動回路６７と、絞りモータ駆動回路６８と、ＤＣモータ６９と、レンズ駆動機構７０と、円盤７１と、フォトインタラプタ（ＰＩ）７２と、ステッピングモータ７８と、絞り駆動機構７９とを有して構成されている。
【００２９】
上記レンズモータ駆動回路６７は、ＤＣモータ６９を駆動させて、レンズ駆動機構７０を介して撮影レンズ６２を光軸上で移動させる。また、ＤＣモータ６９の駆動により、所定方向に回転される円盤７１をフォトインタラプタ７２で検知することにより、撮影レンズ６２の移動量が得られる。更に、絞りモータ駆動回路６８は、ステッピングモータ７８を駆動させることによって、絞り駆動機構７９を介して絞り６３を駆動させる。
【００３０】
一方、ボディユニット８５に於いては、上述した交換レンズユニット６０内の撮影レンズ６２を介して入射される光線は、クイックリターンミラー２２で反射されて、フォーカシングスクリーン２６、ペンタプリズム８６を介して接眼レンズ８７に至る。また、図示されないが、クイックリターンミラー２２が光路より退避した場合は、撮影レンズ６２を通った光線は、シャッタ３５を介してＣＣＤ基板３６に取り付けられたＣＣＤ３７に結像される。
【００３１】
上記クイックリターンミラー２２のダウン時に該クイックリターンミラー２２を透過した光束は、サブミラー３２で反射されてＡＦセンサ３３に導かれる。
【００３２】
画像処理回路（ＡＳＩＣ）、各種インターフェイスや制御回路、検出手段を含む構成のシステムコントローラ９０には、測光回路９１と、ミラー駆動機構９２と、撮像素子ＩＦ回路９３と、シャッタ駆動機構９４と、焦点検出回路９５と、不揮発性メモリ９６と、画像表示回路９９と、バスを介してフラッシュ（Ｆｌｕｓｈ）ＲＯＭ１００、ＳＤＲＡＭ１０１及びＳＲＡＭ１０２と、データ記録メディア１０３と、操作スイッチ（ＳＷ）１０４とが接続されている。また、このシステムコントローラ９０は、ボディマウント２１、交換レンズユニット６０内のレンズマウント６１を介して、レンズＣＰＵ６４と通信可能となっている。
【００３３】
尚、上記ミラー駆動機構９２、撮像素子ＩＦ回路９３、シャッタ駆動機構９４、焦点検出回路９５、不揮発性メモリ９６は、図１には示されないが、ミラーユニット２０内に含まれている。
【００３４】
上記測光回路９１は、図示されない被写体の輝度を測定して露出時間を決定するための回路である。また、ミラー駆動機構９２は、クイックリターンミラー２２のアップダウンの駆動を行うものである。
【００３５】
撮像素子ＩＦ回路９３は、撮像素子であるＣＣＤ３７を駆動するためのインターフェイス回路である。また、シャッタ駆動機構９４は、シャッタ３５の動きを制御するための機構である。
【００３６】
更に、焦点検出回路９５は、ＡＦセンサ３３に接続されて、撮影レンズ６２を通って入射された光線に基づいて焦点検出を行うための回路である。上記不揮発性メモリ９６は、ボディマウント２１の面からＣＣＤ３７の面までの距離（フランジバック）のデータの偏差量を記憶したり、チャート１１のずれ量を記憶するためのもので、ＥＥＰＲＯＭ等で構成されている。
【００３７】
画像表示回路９９は、ＣＣＤ３７で撮像された画像データを表示するための回路であり、一般にはＴＦＴ等のカラーの液晶表示素子により構成される。
【００３８】
上記フラッシュＲＯＭ１００はシステムコントローラ９０を動作させるためのプログラムが記憶されている。また、ＳＤＲＡＭ１０１は、画像データ等を一時的に記憶するためのメモリであり、ＳＲＡＭ１０２は種々のワークエリアとして使用されるメモリである。データ記録メディア１０３は、圧縮された画像データが記録される。
【００３９】
更に、操作スイッチ１０４は、種々の動作をこの電子カメラに実行させるべく操作される多数のスイッチで構成される。
【００４０】
尚、ミラーユニット２０は、上述した図１と同じ構成であるので、図１と同一の部分には同一の参照番号を付して、その図示及び説明は省略する。
【００４１】
次に、図３乃至図５のフローチャートを参照して、この発明の一実施形態に係るカメラの調整装置の測定動作について説明する。
【００４２】
図３は、このカメラの調整装置を操作するオペレータの動作を説明するフローチャートである。
【００４３】
フォーカシングスクリーンの位置調整装置の操作が開始されると、先ず、ステップＳ１にて、ミラーユニット２０が、ボディマウント２１とレンズマウント１４によってユニット保持治具１２に取り付けられる。次いで、ステップＳ２にて、パーソナルコンピュータ４５により、視野位置測定プログラムが実行される。
【００４４】
こうしてステップＳ３で視野位置の測定動作が終了すると、ステップＳ４に移行して、ミラーユニット２０がレンズ保持治具１２から取り外される。次いで、ステップＳ５に於いて、ビデオスコープ３０を経てパーソナルコンピュータ４５の画面上で、ファインダの視野位置が所定の規格内にあるか否かが判定される。ここで、規格内であればステップＳ６に移行し、規格外であればステップＳ８へ移行する。
【００４５】
図６は、ファインダの視野位置を表すフォーカシングスクリーン２６の例を示した図である。フォーカシングスクリーン２６内には、例えば、図示のように３種類のフォーカスターゲット１２０ａ、１２０ｂ、１２０ｃが表されている。そして、これらフォーカスターゲット１２０ａ、１２０ｂ、１２０ｃとチャート１１（図１（ｂ）参照）の基準線１１ａ〜１１ｆに基づいて、フォーカシングスクリーン２６のずれ量が求められる。例えば、枠状の基準線１１ｃ〜１１ｆがフォーカシングスクリーン２６内に入っていれば、上記視野位置は規格内であると言える。
【００４６】
ステップＳ６では、ＣＣＤ基板３６を介してミラーユニット２０に取り付けられたＣＣＤ３７の位置ずれが判定される。その結果、ＣＣＤ３７の位置ずれが所定の規格内、すなわち、位置ずれが後述する電気的な補正が可能な範囲内であれば、ステップＳ７へ移行して当該ミラーユニット２０が、次の組み立て工程に送られる。つまり、上記ステップＳ５及びＳ６にて、何れも規格内である場合のみ、次の組立工程に移行する。
【００４７】
一方、上記ステップＳ５またはステップＳ６の何れかで、視野位置または位置ずれが規格外であれば、後述する電気的な補正が不可能となってしまう。したがって、ステップＳ８へ移行して、当該ミラーユニット２０が組立工程へ返却される。
【００４８】
こうして、オペーレータによるカメラの調整が終了する。
【００４９】
図４は、カメラの調整装置を実際に実行するパーソナルコンピュータ４５の動作を説明するフローチャートである。
【００５０】
上述した図３のフローチャートのステップＳ２にて、オペレータによって視野位置測定プログラムが起動されると、本フローチャートが開始される。つまり、このプログラムが開始される時点では、調整されるミラーユニット２０はレンズ保持治具１２に取り付けられている状態である。
【００５１】
そして、先ず、ステップＳ１１にて、ミラーユニット２０内のクイックリターンミラー２２が、カメラインターフェイス回路４０内のミラーアップ／ダウン制御回路４３によって、図示されないアップ位置（退避位置）に駆動される。次いで、ステップＳ１２にて、ＣＣＤインターフェイス回路４１を介してＣＣＤ３７へ露光開始信号が送られる。更に、シャッタ制御回路４２によりシャッタ３５が所定時間だけ開かれることによって、露光が行われる。
【００５２】
露光が終了すると、続くステップＳ１３にて、クイックリターンミラー２２が、ミラーアップ／ダウン制御回路４２を介してダウン位置へ駆動される（図１（ａ）参照）。そして、ステップＳ１４にて、ＣＣＤ３７から画像データが読み出される。
【００５３】
更に、ステップＳ１５では、上記ＣＣＤ３７から読出された画像データから、チャート１１の中央位置、すなわち図１（ｂ）に示されるような十字状の基準線１１ａ、１１ｂの交差部分の位置が算出される。そして、ステップＳ１６にて、上記チャート１１の位置とＣＣＤ３７のずれ量が算出され、そのずれ量がカメラインターフェイス回路４０内の不揮発性メモリ通信回路４４に記憶される。
【００５４】
例えば、図７に示されるように、ＣＣＤ３７の撮像エリア１１０に於いて、図示一点鎖線のようにＸ軸、Ｙ軸が設定され、この仮想の座標を基準として、チャート１１の中心位置とのずれ量が求められる。仮想の基準座標を（Ｘ0 ，Ｙ0 ）として、上記十字状の基準線１１ａ、１１ｂの交差部分の座標を（Ｘｃ，Ｙｃ）とすると、この場合のチャート１１の位置とＣＣＤ３７のずれ量はＸｃ，Ｙｃとなる。このずれ量が、上記不揮発性メモリ通信回路４４に記憶される。
【００５５】
次いで、ステップＳ１７に於いて、上記ＣＣＤ３７の位置ずれが、所定の規格値の範囲内であるか否かが判定される。ここで、上記位置ずれが上記範囲外であった場合のみ、ステップＳ１８へ移行して、パーソナルコンピュータ４５のモニタ上に警告表示がなされる。オペレータは、この警告表示に基づいて、ＣＣＤ位置ずれが規格外であることを判断する（図３のステップＳ６参照）
ステップＳ１９では、ビデオスコープ３０から画像データが読み出される。そして、続くステップＳ２０にて、上記読出された画像データから、チャート１１の位置とフォーカシングスクリーン２６の位置とのずれ量が算出される（図８参照）。
【００５６】
次に、ステップＳ２１に於いて、このステップＳ２０で算出されたフォーカシングスクリーン２６の位置ずれが、所定の規格値の範囲内であるか否かが判定される。その結果、上記位置ずれが規格値内であれば本シーケンスが終了する。一方、上記位置ずれが規格値内でなければ、ステップＳ２２に移行して、パーソナルコンピュータ４５のモニタ上に警告表示がなされる。オペレータは、この警告表示に基づいて、ファインダの視野位置が規格外であることを判断する（図３のステップＳ５参照）。
【００５７】
次に、図５のフローチャートを参照して、本実施の形態に於けるカメラの撮影動作について説明する。尚、この撮影動作は、システムコントローラ９０によって制御される。
【００５８】
先ず、ステップＳ３１にて、操作スイッチ１０４内のレリーズスイッチが操作されたか否かが判定される。そして、このレリーズスイッチが操作されたならば、続くステップＳ３２にて、ＡＦセンサ３３の出力からピントのずれ量が算出される。
【００５９】
ステップＳ３３では、算出されたピントのずれ量に基づいてＤＣモータ６９が駆動され、レンズ駆動機構７０によって撮影レンズ６２の位置が制御される。次いで、ステップＳ３４にて、シャッタ駆動機構９４及び絞り駆動機構７９によってシャッタ３５及び絞り６３が制御されて、ＣＣＤ３７が所定の光量で露光される。
【００６０】
ステップＳ３５では、ＣＣＤ３７に取り込まれた画像データが読み出される。この読出された画像データは、ＳＤＲＡＭ１０１に一時的に記憶される。そして、ステップＳ３６では、図４のフローチャートに於けるステップＳ６で不揮発性メモリ９６に記憶されたＣＣＤ位置のずれ量が読み出される。
【００６１】
ステップＳ３７では、この読出されたずれ量に基づいて、上記画像データから必要な領域データがトリミングされる。更に、ステップＳ３８では、トリミングされたデータに基づいて所定のファイルに変換され、この変換されたデータがデータ記録メディア１０３に格納される。
【００６２】
図８は、上述したＣＣＤの撮像エリアとトリミングデータ領域との関係の例を示した図である。トリミングデータ領域１１２は、図示斜線部で示されるように、ＣＣＤ撮像エリア１１０よりも狭い領域となる。そして、上述したように、基準線の交差部分でのずれ量はＸｃ，Ｙｃとなる。したがって、この基準線の交差部分でのずれ量Ｘｃ，Ｙｃに基付いた調整量で、トリミングデータ領域１１２の各位置に対応したＣＣＤ撮像エリア１１０の各画素位置が求められる。
【００６３】
このようにして、カメラの位置調整装置の測定動作が終了する。
【００６４】
尚、上述した実施形態では、カメラの調整装置を実際に実行するパーソナルコンピュータ４５の動作に於いて、ＣＣＤの位置ずれを判定した後にフォーカシングスクリーンの位置ずれを判定するようにしているが、これに限られるものではなく、逆の順序でも構わない。
【００６５】
この発明によれば、撮像素子の結像面上の位置とフォーカシングスクリーンの合焦面との位置を、容易に、且つ高精度に合わせることができるカメラの調整装置を提供することができる。
【図面の簡単な説明】
【００６６】
【図１】（ａ）はこの発明の一実施形態に係るカメラの調整装置の構成を示した図、（ｂ）は調整用のチャート１１の例を示した図である。
【図２】ミラーユニット２０が装着されたボディユニット８５と交換レンズユニット６０から成る電子カメラの構成を示すブロック図である。
【図３】この発明の一実施形態に係るカメラの調整装置の測定動作について説明するもので、カメラの調整装置を操作するオペレータの動作を説明するフローチャートである。
【図４】この発明の一実施形態に係るカメラの調整装置の測定動作について説明するもので、カメラの調整装置を実際に実行するパーソナルコンピュータ４５の動作を説明するフローチャートである。
【図５】この発明の一実施形態に係るカメラの調整装置の測定動作について説明するもので、カメラの撮影動作について説明するフローチャートである。
【図６】ファインダの視野位置を表すフォーカシングスクリーン２６の例を示した図である。
【図７】ＣＣＤ撮像エリア１１０と調整用チャート１１の位置ずれを説明するための図である。
【図８】ＣＣＤの撮像エリアとトリミングデータ領域との関係の例を示した図である。
【符号の説明】
【００６７】
１０…ベンチ、１１…調整用チャート、１１ａ〜１１ｆ…基準線、１２…ユニット保持治具、１３…レンス図、１４…レンズマウント、２０…ミラーユニット、２１…ボディマウント、２２…クイックリターンミラー、２５…スクリーンユニット、２６…フォーカシングスクリーン、３０…ビデオスコープ、３２…サブミラー、３３…ＡＦセンサ、３６…ＣＣＤ基板、３７…ＣＣＤ、４０…カメラインターフェイス回路、４１…ＣＣＤインターフェイス回路、４５…パーソナルコンピュータ（ＰＣ）、５０…ビデオ信号変換回路、６０…交換レンズユニット、６２…撮影レンズ、６３…絞り、６４…レンズＣＰＵ（ＬｎｓＣＰＵ）、８５…ボディユニット、９０…システムコントローラ、９１…測光回路、９２…ミラー駆動機構、９３…撮像素子ＩＦ回路、９４…シャッタ駆動機構、９５…焦点検出回路、９６…不揮発性メモリ、１０４…操作スイッチ。
【図１】
2005142837.tif 000003
【図２】
2005142837.tif 000004
【図３】
2005142837.tif 000005
【図４】
2005142837.tif 000006
【図５】
2005142837.tif 000007
【図６】
2005142837.tif 000008
【図７】
2005142837.tif 000009
【図８】
2005142837.tif 000010